(57)【要約】【課題】地盤の沈下測定システムにおいて、測定システム内の貯水の表面張力あるいは蒸発や温度変化が沈下測定に及ぼす影響を小さくして沈下測定精度を高め、また貯水の入れ替えを要することなく長期の連続測定を可能にする。【解決手段】基準点に設置された基準点水槽に貯留した水と、沈下測定点に設置された測定点水槽に貯留した水を、開水路管で連通させて、基準点水槽内の水面と測定点水槽内の水面と開水路管内の水面を大気中に開放された同一水平面とし、沈下測定時刻前の基準時刻における基準点水槽の水面の初期水位Ｈｏｓ　、基準時刻における測定点水槽の水面の初期水位Ｈｎｓ　、任意の沈下測定時刻における基準点水槽の水面の水位Ｈｏ　、および沈下測定時刻における測定点水槽の水面の水位Ｈｎ　を計測し、沈下測定時刻における沈下測定点の沈下量Ｈを、Ｈ＝（Ｈｎ−Ｈｏ　）−（Ｈｎｓ−Ｈｏｓ）として算出する【選択図】　図１
2004108993.tif 000002
【特許請求の範囲】
【請求項１】
基準点に設置された基準点水槽に貯留した水と、沈下測定点に設置された測定点水槽に貯留した水を、開水路管で連通させて、前記基準点水槽内の水面と前記測定点水槽内の水面と前記開水路管内の水面を、大気中に開放された同一水平面とし、沈下測定時刻前の基準時刻における前記基準点水槽の水面の同基準点水槽に対する初期水位Ｈｏｓ　、同基準時刻における前記測定点水槽の水面の同測定点水槽に対する初期水位Ｈｎｓ　、任意の沈下測定時刻における前記基準点水槽の水面の同基準点水槽に対する水位Ｈｏ　、および同沈下測定時刻における前記測定点水槽の水面の同測定点水槽に対する水位Ｈｎ　を計測し、前記沈下測定時刻における前記沈下測定点の沈下量Ｈを、Ｈ＝（Ｈｎ−Ｈｏ　）−（Ｈｎｓ−Ｈｏｓ）として算出することを特徴とする沈下測定方法。
【請求項２】
基準点に設置された基準点水槽に貯留した水と、沈下測定点に設置された測定点水槽に貯留した水を、開水路管で連通させて、前記基準点水槽内の水面と前記測定点水槽内の水面と前記開水路管内の水面を、大気中に開放された同一水平面とし、沈下測定時刻前の基準時刻における前記基準点水槽の貯水の初期水深Ｈｏｓ　、同基準時刻における前記測定点水槽の貯水の初期水深Ｈｎｓ　、任意の沈下測定時刻における前記基準点水槽の貯水の水深Ｈｏ　、および同沈下測定時刻における前記測定点水槽の貯水の水深Ｈｎ　を計測し、前記沈下測定時刻における前記沈下測定点の沈下量Ｈを、Ｈ＝（Ｈｎ−Ｈｏ　）−（Ｈｎｓ−Ｈｏｓ）として算出することを特徴とする沈下測定方法。
【請求項３】
基準点に設置された基準点水槽と、沈下測定点に設置された測定点水槽と、前記基準点水槽と前記測定点水槽の間に接続され前記基準点水槽に貯留された水と前記測定点水槽に貯留された水を大気中に開放された同一水平面として連通保持する開水路管と、前記基準点水槽内の水面の同基準点水槽に対する水位を計測する水位計と、前記測定点水槽内の水面の同測定点水槽に対する水位を計測する水位計と、沈下測定時刻前の基準時刻における前記基準点水槽の水面の同基準点水槽に対する初期水位Ｈｏｓ　、同基準時刻における前記沈下測定点水槽の水面の同測定点水槽に対する初期水位Ｈｎｓ　、任意の沈下測定時刻における前記基準点水槽の水面の同基準点水槽に対する水位Ｈｏ　、および同沈下測定時刻における前記測定点水槽の水面の同測定点水槽に対する水位Ｈｎ　を基に前記沈下測定時刻における前記沈下測定点の沈下量Ｈを、Ｈ＝（Ｈｎ−Ｈｏ）−（Ｈｎｓ−Ｈｏｓ）として、算出する演算装置を備えたことを特徴とする沈下測定システム。
【請求項４】
基準点に設置された基準点水槽と、沈下測定点に設置された測定点水槽と、前記基準点水槽と前記測定点水槽の間に接続され前記基準点水槽に貯留された水と前記測定点水槽に貯留された水を大気中に開放された同一水平面として連通保持する開水路管と、前記基準点水槽内の水面の同基準点水槽に対する水位を計測する水位計と、前記測定点水槽内の水面の同測定点水槽に対する水位を計測する水位計と、井桁状で下部に多数の透孔が形成され前記測定点水槽内に上下にわたって配設された波動制振ブロックと、沈下測定時刻前の基準時刻における前記基準点水槽の水面の同基準点水槽に対する初期水位Ｈｏｓ　、同基準時刻における前記測定点水槽の水面の同測定点水槽に対する初期水位Ｈｎｓ　、任意の沈下測定時刻における前記基準点水槽の水面の同基準点水槽に対する水位Ｈｏ　、および同沈下測定時刻における前記測定点水槽の水面の同測定点水槽に対する水位Ｈｎを基に前記沈下測定時刻における前記沈下測定点の沈下量Ｈを、Ｈ＝（Ｈｎ−Ｈｏ）−（Ｈｎｓ−Ｈｏｓ）として、算出する演算装置を備えたことを特徴とする沈下測定システム。
【請求項５】
基準時刻における基準点水槽の水面の初期水位Ｈｏｓと　、沈下測定時刻における前記基準点水槽の水面の水位Ｈｏが、それぞれ前記各時刻における前記基準点水槽内の貯水の水深であり、前記基準時刻における測定点水槽の水面の初期水位Ｈｎｓと　、前記沈下測定時刻における前記測定点水槽の水面の水位Ｈｎが、それぞれ前記各時刻における前記測定点水槽内の貯水の水深であることを特徴とする請求項３または請求項４に記載の沈下測定システム。
【請求項６】
沈下測定点に設置され開水路管を介して基準点水槽に接続される測定点水槽と、この測定点水槽内の貯水の水位を計測する水位計と、井桁状で下部に多数の透孔が形成され前記測定点水槽内に配設される波動制振ブロックを備えたことを特徴とする沈下計測装置。
【請求項７】
沈下測定点に設置され開水路管を介して基準点水槽に接続される測定点水槽と、この測定点水槽内の貯水の水位を計測する水位計を備え、中空平板で井桁状に形成されその中空平板の下部に多数の透孔が穿たれた波動制振ブロックを前記測定点水槽内に配設したことを特徴とする沈下計測装置。
【請求項８】
井桁状で下部に多数の透孔が形成され測定点水槽内に配設されることを特徴とする沈下計測装置用波動制振ブロック。
【請求項９】
中空平板で井桁状に形成されその中空平板の下部に多数の透孔が穿たれ測定点水槽内に配設されることを特徴とする沈下計測装置用波動制振ブロック。
【発明の詳細な説明】
【０００１】
【発明の属する技術分野】
この発明は、地盤や地上構造物の沈下あるいは隆起を量的（数値的）に測定するための沈下測定方法と、その測定方法で地盤や地上構造物の沈下あるいは隆起を測定する沈下測定システムと、沈下測定システムの主要部である沈下計測装置、ならびにその沈下計測装置に組み込む波動制振ブロックに関するものである。なお本願において、「沈下測定」あるいは「沈下計測」なる表現に、「隆起測定」あるいは「隆起計測」を含むものである。
【０００２】
【従来の技術】
自然の地殻変動に伴う地盤の沈下や隆起、あるいは造成地の経年地盤沈下、あるいは新たな土木・建築工事に伴う工事現場周囲の地盤変位、あるいは地盤の沈下・隆起・変位によってその地上の既存の構造物に生ずる沈下・隆起・歪み、等を認識するために、地盤や地上構造物の沈下あるいは隆起を量的（数値的）に測定する必要があり、従来そのための沈下測定装置として水盛式（オーバーフロー式）沈下測定装置が多用されている。（例えば、特許文献１，２参照。）
【０００３】
水盛式沈下測定装置は、周知のように、基準点（不動点）と沈下測定点にそれぞれ基準点水槽と測定点水槽を設置すると共に、基準点水槽の下端部と測定点水槽の下端部の間を連通管で連通させ、基準点水槽に水を注入して貯水すると共に上記連通管を通して測定点水槽にも貯水し、基準点水槽に設けたオバーフロー堰によって基準点水槽の水位を一定の基準水位に保ちながら、測定点水槽における水位を上記基準水位と比較計測することにより、沈下測定点の地盤あるいは構造物の沈下度あるいは隆起度を測定するものである。そして上記連通管は貯留水が充満した状態にあって、連通管の内部に水面（基準点水槽および測定点水槽の水面のような外気に開放された水面）は存在しない。すなわち水盛式沈下測定装置は、基準点水槽の水位が一定の基準値に保たれ、沈下測定点の沈下によって測定点水槽における相対水位（測定点水槽における水深）が変化することから、この測定点水槽の相対水位変化を、例えば周知の渦電流式変位計で計測することにより、沈下測定点の地盤あるいは構造物の沈下度あるいは隆起度を測定するものである。
【０００４】
しかしながら従来多用されている水盛式沈下測定装置には次のような難点が存する。すなわち水盛式沈下測定装置は、基準点水槽の堰から貯水をオーバーフローさせて基準点水槽の水位を一定に保とうとするものであるが、貯水の表面張力の影響を受けて、その水位を一定に保つこと自体が難しく、基準点水槽の水位を一定に保てないことによる測定誤差が生ずる。また連通管とその内部の水の温度が場所によって部分的に変化しても、水が充満していて大気に開放された水面が存しない連通管内では水の温度差を平準化する密度流が生ぜず、水層の上部に暖かい水が溜まって水の密度差による水位の水平が乱され、水の密度差による測定誤差が生ずる。また連通管全体が一様に温度変化した場合、連通管と水の熱膨張の差異によって水位が大きく変動する。さらにまた長期にわたる使用では、水の蒸発によって水位が低下しやすく、これが大きな測定誤差をもたらす。水盛式沈下測定では上記のような難点が沈下測定誤差の要因となっており、それらの測定誤差の補正が必要となるが、その補正は必ずしも容易ではない。また沈下測定の温度補正のためには測定装置内の水の入れ替えが必要となることもあり、その場には連続した沈下測定が妨げられる。
【０００５】
【特許文献１】
特開平８−２１７２８号公報（図１）
【特許文献２】
特開平１１−９４５４５号公報（図１）
【０００６】
【発明が解決しようとする課題】
この発明は、上記のような従来の沈下測定方法および沈下測定装置の難点を改善し、測定システム内の貯水の表面張力、あるいは貯水の蒸発や温度変化が沈下測定に及ぼす影響を小さくして沈下測定精度を高め、また沈下測定の温度補正のために測定装置内の水の入れ替えを要することなく長期の連続測定を可能にしようとするものである。またこの発明は、沈下測定システムの水面に生ずるかも知れない表面波（例えば表面張力波）による沈下測定誤差を抑制しようとするものである。
【０００７】
【課題を解決するための手段】
上記の課題を解決するために、この発明の沈下測定方法は、基準点に設置された基準点水槽に貯留した水と、沈下測定点に設置された測定点水槽に貯留した水を、開水路管で連通させて、基準点水槽内の水面と測定点水槽内の水面と開水路管内の水面を大気中に開放された同一水平面とし、沈下測定時刻前の基準時刻における基準点水槽の水面の同基準点水槽に対する初期水位Ｈｏｓ　、基準時刻における測定点水槽の水面の同測定点水槽に対する初期水位Ｈｎｓ　、任意の沈下測定時刻における基準点水槽の水面の同基準点水槽に対する水位Ｈｏ　、および沈下測定時刻における測定点水槽の水面の同測定点水槽に対する水位Ｈｎ　を計測し、沈下測定時刻における沈下測定点の沈下量Ｈを、Ｈ＝（Ｈｎ−Ｈｏ　）−（Ｈｎｓ−Ｈｏｓ）として算出する。
【０００８】
また上記の沈下測定方法に基づく沈下測定システムとして、この発明では、　基準点に設置された基準点水槽と、沈下測定点に設置された測定点水槽と、基準点水槽と測定点水槽の間に接続されて基準点水槽に貯留された水と測定点水槽に貯留された水を大気中に開放された同一水平面として連通保持する開水路管と、基準点水槽内の水面の同基準点水槽に対する水位を計測する水位計と、測定点水槽内の水面の同測定点水槽に対する水位を計測する水位計と、沈下測定時刻前の基準時刻における基準点水槽の水面の同基準点水槽に対する初期水位Ｈｏｓ　、基準時刻における沈下測定点水槽の水面の同測定点水槽に対する初期水位Ｈｎｓ　、任意の沈下測定時刻における基準点水槽の水面の同基準点水槽に対する水位Ｈｏ　、および沈下測定時刻における測定点水槽の水面の同測定点水槽に対する水位Ｈｎ　を基に沈下測定時刻における沈下測定点の沈下量Ｈを、Ｈ＝（Ｈｎ−Ｈｏ）−（Ｈｎｓ−Ｈｏｓ）として算出する演算装置を備えた沈下測定システムを構成する。
【０００９】
さらにこの発明では、上記沈下測定システムにおける水面に生ずるかも知れない波動によってもたらされる沈下量の計測誤差を防ぐために、多数の透孔を形成した波動制振ブロックを用意し、貯水の水位を計測する水位計と共に上記波動制振ブロックを測定点水槽内に配設して沈下計測装置を構成する。
【００１０】
【発明の実施の形態】
この発明の沈下測定方法の実施形態の一つは、基準点に設置された基準点水槽に貯留した水と沈下測定点に設置された測定点水槽に貯留した水を開水路管で連通させて基準点水槽内の水面と測定点水槽内の水面と開水路管内の水面を大気中に開放された同一水平面とし、沈下測定時刻前の基準時刻における基準点水槽の貯水の初期水深Ｈｏｓ、基準時刻における測定点水槽の貯水の初期水深Ｈｎｓ、任意の沈下測定時刻における基準点水槽の貯水の水深Ｈｏ　、および沈下測定時刻における測定点水槽の貯水の水深Ｈｎ　を計測し、沈下測定時刻における沈下測定点の沈下量Ｈを、Ｈ＝（Ｈｎ−Ｈｏ　）−（Ｈｎｓ−Ｈｏｓ）として算出するものである。
【００１１】
この発明の沈下測定システムの実施形態の一つは、基準点に設置された基準点水槽と、沈下測定点に設置された測定点水槽と、基準点水槽と測定点水槽の間に接続され基準点水槽に貯留された水と測定点水槽に貯留された水を大気中に開放された同一水平面として連通保持する開水路管と、基準点水槽内の水面の同基準点水槽に対する水位を計測する水位計と、測定点水槽内の水面の同測定点水槽に対する水位を計測する水位計と、下部に多数の透孔が形成され測定点水槽内に上下にわたって配設された波動制振ブロックと、沈下測定時刻前の基準時刻における基準点水槽の水面の同基準点水槽に対する初期水位Ｈｏｓ　、基準時刻における測定点水槽の水面の同測定点水槽に対する初期水位Ｈｎｓ　、任意の沈下測定時刻における基準点水槽の水面の同基準点水槽に対する水位Ｈｏ　、および沈下測定時刻における測定点水槽の水面の同測定点水槽に対する水位Ｈｎ　を基に沈下測定時刻における沈下測定点の沈下量Ｈを、Ｈ＝（Ｈｎ−Ｈｏ）−（Ｈｎｓ−Ｈｏｓ）として算出する演算装置を備えたものである。
【００１２】
この発明の沈下測定システムの他の実施形態は、上記の沈下測定システムにおいて、基準時刻における基準点水槽の水面の初期水位Ｈｏｓと　、沈下測定時刻における前記基準点水槽の水面の水位Ｈｏを、それぞれ基準時刻ならびに沈下測定時刻における基準点水槽内の貯水の水深とし、基準時刻における測定点水槽の水面の初期水位Ｈｎｓと　、沈下測定時刻における測定点水槽の水面の水位Ｈｎを、それぞれ基準時刻ならびに沈下測定時刻における測定点水槽内の貯水の水深としたしたものである。
【００１３】
この発明の沈下計測装置の実施形態の一つは、沈下測定点に設置され開水路管を介して基準点水槽に接続される測定点水槽と、この測定点水槽内の貯水の水位を計測する水位計を備え、平板の下部に多数の透孔が穿たれた波動制振ブロックを測定点水槽内に配設したものである。
【００１４】
この発明の沈下計測装置の実施形態の一つは、沈下測定点に設置され開水路管を介して基準点水槽に接続される測定点水槽と、この測定点水槽内の貯水の水位を計測する水位計を備え、中空平板で井桁状に形成されその中空平板の下部に多数の透孔が穿たれた波動制振ブロックを測定点水槽内に配設したものである。
【００１５】
この発明の沈下計測装置用波動制振ブロックの実施形態の一つは、中空平板で井桁状に形成され、その中空平板の下部に多数の透孔が穿たれて測定点水槽内に配設されるものである。
【００１６】
【実施例】
以下この発明の一実施例を説明する。図１はこの発明に係る沈下測定システムの基本構成図、図２は同沈下測定システムの動作説明図、図３は同沈下測定システムの測定点水槽の斜視図、図４は同測定点水槽の上面図、図５は同測定点水槽に組み込まれる波動制振ブロックの側面図で、図１ないし図５を参考に、この発明の沈下測定方法と沈下測定システムおよび沈下計測装置ならびに沈下計測装置用波動制振ブロックについて説明する。
【００１７】
図１ならびに図２において、Ａは沈下測定点となる地上の構築物（以下「沈下測定点」という）、Ｂは基準点（不動点）で、基準点Ｂは沈下測定点Ａから十分遠く離れていて、沈下測定点Ａの沈下・隆起や振動の影響が及ばないところに設定されている。１は沈下測定点Ａに設置された測定点水槽、２は基準点Ｂに設置された基準点水槽、３は開水路で、測定点水槽１と基準点水槽２の間に、フレキシブル・ジョイント３ａ，３ｂを介して開水路３が接続され、開水路３を含めて測定点水槽１と基準点水槽２に水４が貯水されている。なお、この発明における「水」には通常の水道水、工業用水のほか、沈下測定のための各種の液体を含む。
【００１８】
また従来の水盛式沈下測定システムとは異なり、この発明に係る沈下測定システムの特徴は、開水路３内に水４が充満しておらず、測定点水槽１内の水面、基準点水槽２内の水面、および開水路３内の水面は、共に大気に開放された共通の水面４ａあるいは４ａ’になっていることである。すなわち本願発明にいう「開水路」とは、測定点水槽１と基準点水槽２を結ぶ水路内の水面が測定点水槽１内の水面と基準点水槽２内の水面と同じ大気に開放された水面４ａあるいは４ａ’となる水路を意味する。
【００１９】
また測定点水槽１には水位計１１が設置され、基準点水槽２には水位計２１が設置されている。水位計１１は、測定点水槽１内の水面の同測定点水槽１に対する水位（すなわち測定点水槽１内の貯水の水深、あるいは測定点水槽１における水面４ａあるいは４ａ’の相対水位）ＨｎｓあるいはＨｎを計測するものであり、水位計２１は、基準点水槽２内の水面の同基準点水槽２に対する水位（すなわち基準点水槽２内の貯水の水深）ＨｏｓあるいはＨｏを計測するものである。なお図１の実施例では、水位計１１，２１はそれぞれ測定点水槽１の上端ならびに基準点水槽２の上端から吊り下げ状態で設置され、それぞれ測定点水槽１の上端から水面４ａまでの距離Ｍｎｓならびに基準点水槽２の上端から水面４ａまでの距離Ｍｏｓを計測するようにしているが、距離Ｍｎｓ，Ｍｏｓを計測することは、それぞれ測定点水槽１内の水深としての水位Ｈｎｓと、基準点水槽２内の水深としての水位Ｈｏｓを計測することでもある。
【００２０】
５は演算装置（コンピュータ）で、測定点水槽１において水位計１１で計測した水面４ａの水位Ｈｎｓと水面４ａ’の水位Ｈｎ、ならびに基準点水槽２において水位計２１で計測した水面４ａの水位Ｈｏｓと水面４ａ’の水位Ｈｏが入力され、それらの水位Ｈｎｓ，Ｈｎ，Ｈｏｓ，Ｈｏに基づいて沈下測定点Ａの沈下量Ｈを算出して表示するもにである。
【００２１】
図１は沈下測定点Ａの沈下測定時刻前の基準時刻における、測定点水槽１、基準点水槽２、開水路３、およびそれらの共通の水面４ａの相互位置関係を示し、Ｈｎｓは基準時刻における測定点水槽１内の水面４ａの同測定点水槽１に対する初期水位を示し、Ｈｏｓは基準時刻における基準点水槽２内の水面４ａの同基準点水槽２に対する初期水位を示している。
【００２２】
図２は、任意の沈下測定時刻における測定点水槽１、基準点水槽２、開水路３およびそれらの共通の水面４ａ’の相互の位置関係を示しており、Ｈｎは沈下測定時刻における測定点水槽１内の水面４ａ’の同測定点水槽１に対する水位を示し、Ｈｏは沈下測定時刻における基準点水槽２内の水面４ａ’の同基準点水槽２に対する水位を示している。なお図２において、破線で示す測定点水槽１は沈下測定時刻前の基準時刻における測定点水槽の位置（基準位置）を示し、太い実線で示す測定点水槽１’は、測定時刻において前記基準時位置に対し沈下量Ｈだけ測定点水槽１’が沈下した状態、すなわち沈下測定点Ａが沈下量Ｈだけ沈下した状態を示している。また水面４ａは基準時刻における沈下測定システムの水面を示し、水面４ａ’は沈下測定時刻における沈下測定システムの水面を示している。
【００２３】
すなわち、沈下測定点Ａが沈下量Ｈだけ沈下したことに伴って、沈下測定点Ａに設置された測定点水槽１が、図１に示す基準時刻における位置から、図２に示すように沈下量Ｈだけ沈下して測定点水槽１’の位置まで沈降し、測定点水槽１’における水位（水深）はＨｎｓからＨｎへと変化する。一方、上記の沈下量Ｈに加え、沈下測定システムの水（貯水）の表面張力や温度変化や貯水の蒸発などに起因して、沈下測定システムの基準時刻における水面４ａと沈下測定時刻における水面４ａ’の間に水面変動が生じ、基準点（不動点）に設置した基準点水槽２における基準時刻の水位（水深）Ｈｏｓと沈下測定時刻の水位（水深）Ｈｏの間に、変動差△ｈが生ずる。
【００２４】
しかし図２に照らして明らかなように、測定点水槽１の基準時刻における初期水位Ｈｏｓならびに測定点水槽１’の沈下測定時刻における水位Ｈｏと、基準点水槽２の基準時刻における初期水位Ｈｎｓならびに沈下測定時刻における水位Ｈｎと、沈下測定点Ａの沈下量Ｈの間には次式［式１］で示される関係が成り立つので、基準点水槽２の水位が一定に保たれないで、基準点水槽２における基準時刻の水位Ｈｏｓと沈下測定時刻の水位Ｈｏの間に水位の変動差△ｈが生じていても、［式１］に従って沈下測定点Ａの沈下量Ｈを正確に測定することができる。
Ｈ＝（Ｈｎ−Ｈｏ）−（Ｈｎｓ−Ｈｏｓ）　・・・・・［式１］
【００２５】
したがって、水位計１１で計測した測定点水槽１，１’の水位Ｈｎｓ，Ｈｎと、水位計２１で計測した基準点水槽２の水位Ｈｏｓ，Ｈｏの値を演算装置５に入力し、演算装置５において、それらの水位Ｈｎｓ，Ｈｎ，Ｈｏｓ，Ｈｏを基に［式１］に沿う演算処理が実行されて沈下測定点Ａの沈下量Ｈが算出され表示される。
【００２６】
そしてこの発明の沈下測定方法と沈下測定システムは、測定点水槽１と基準点水槽２を開水路管３で連通させた開水路方式であるので、沈下測定システムの貯水に温度差が生じても、その温度差による水の密度差で水面勾配が発生して、測定点水槽１の水面と基準点水槽２の水面と開水路管３の水面が常に一連の水平面４ａ，４ａ’になるよう開水路管３を通じて貯水が迅速容易に移動する。その結果、貯水の温度差、密度差に起因する沈下計測誤差を抑制することができる。（ちなみに従来の水盛式沈下測定方式では、貯水に温度差が生じ密度差が生じても、貯水に密度流が生じ難く貯水にの上部に暖かい水が溜まるため、貯水の温度差、密度差に起因する沈下計測誤差が発生する。）またこの発明に係る開水路式の沈下測定方法と沈下測定システムでは貯水の水面積が大きくなるため、貯水が多少蒸発しても貯水の水位は殆ど変化せず、貯水の蒸発に起因する沈下計測誤差を抑制することができる。また上記実施例において、開水路管３をフレキシブル・ジョイント３ａ，３ｂを介して接続しているが、気温変動によって開水路管３が伸縮変化しても、このフレキシブル・ジョイント３ａ，３ｂで開水路管の伸縮変化に伴う貯水の水位変動を吸収し、気温変動による開水路管３の伸縮に起因する沈下計測誤差を抑制することができる。
【００２７】
次に開水路式の沈下測定方法と沈下測定システムにおいて、沈下測定システムの貯水の水面に、例えば表面張力波による波動・振動生じて伝播し、これによって沈下計測誤差が生ずることが考えられることから、この発明では、多数の透孔を形成した波動制振ブロックを測定点水槽の中に配設する。すなわち図３ないし図５に示すように、中空の平板状の隔壁６１，６２，６３，６４で井桁状に形成された波動制振ブロック６を測定点水槽１の中に着脱自在に配設している。６ｂは、隔壁６１，６２，６３，６４の中空部を示している。図４と図５はこの発明の波動制振ブロックの一実施例を示すもので、波動制振ブロック６は、中空の平板状の隔壁６１，６２，６３，６４からなる井桁状で、隔壁６１，６２，６３，６４の下部には多数の透孔６ａが設けられている。そして波動制振ブロック６が測定点水槽１内の貯水中に配設された状態において、隔壁６１，６２，６３，６４によって貯水の水面４ａ，４ａ’に生ずる波動が遮断され、また透孔６ｂはその波動の減衰度を加速させるものである。その結果、貯水の水面４ａ，４ａ’に生ずる波動・振動が制振され、貯水の水面４ａ，４ａ’に生ずる波動・振動が水位計１１、２１に及ぶことを制して、沈下測定点の沈下量Ｈの計測精度を高めることができる。なお、図３ないし図５に示す波動制振ブロックの実施例では、波動制振ブロック６は中空の平板状の隔壁６１，６２，６３，６４を井桁状に形成して構成されているが、隔壁６１，６２，６３，６４はの平板は場合によっては中空でなくても波動制振効果があり、また波動制振ブロック６は測定点水槽との関係から井桁状に限られるものではない。
【００２８】
【発明の効果】
上記実施例からも明らかなように、この発明の沈下測定方法と沈下測定システムは、測定点水槽と基準点水槽を開水路管で連通させた開水路方式であるので、基準点水槽の水面の水位が変化しても、その水位変化が沈下測定点の沈下量の計測に影響を及ぼすことなくその沈下量を高い精度で測定することができる。
【００２９】
またこの発明に係る開水路式の沈下測定方法と沈下測定システムでは、貯水の水面積が大きく、貯水が多少蒸発しても貯水の水位は殆ど変化しないことから、貯水の蒸発に起因する沈下計測誤差を抑えることができる。
【００３０】
また、沈下測定システムの貯水に温度差が生じても、その温度差による水の密度差で水面勾配が発生して沈下測定システムの水面が常に一連の同じ水平面となるように、開水路管を通じて貯水が迅速容易に移動して、貯水の温度差、密度差に起因する沈下計測誤差を抑制することができ、沈下測定の温度補正のために測定装置内の水の入れ替えを要することなく長期の連続測定が可能である。
【００３１】
さらにこの発明によれば、平板状の隔壁を井桁状に形成した波動制振ブロックを測定点水槽の中に配設することにより、沈下測定システムの貯水の水面に小さな波動・振動が生じても、その波動制振ブロックにより、その波動・振動を急速に減衰させあるいは遮断して沈下測定点の沈下量計測に及ぼす影響を断ち、沈下測定点の沈下量の計測精度を高めることができる。
【図面の簡単な説明】
【図１】この発明に係る沈下測定システムの基本構成図
【図２】図２は同沈下測定システムの動作説明図
【図３】図３は同沈下測定システムの測定点水槽の斜視図
【図４】同測定点水槽の上面図
【図５】同測定点水槽に組み込まれる波動制振ブロックの側面図
【符号の説明】
Ａ　：　沈下測定点（構築物）
Ｂ　：　基準点（不動点）
Ｈ　：　沈下量
Ｈｎｓ　：　基準時刻における測定点水槽の水面の初期水位（初期水深）
Ｈｎ　　：　沈下測定時刻における測定点水槽の水面の水位（水深）
Ｈｏｓ　：　基準時刻における基準点水槽の水面の初期水位（初期水深）
Ｈｏ　　：沈下測定時刻における基準点水槽の水面の水位（水深）
Ｍｎｓ　：基準時刻における測定点水槽の上端から水面までの距離
Ｍｏｓ　：基準時刻における基準点水槽の上端から水面までの距離
１　：　基準時刻における測定点水槽
１’：　沈下測定時刻における測定点水槽
１１：　水位計
２　：　基準点水槽
２１：　水位計
３　：　開水路
３ａ，３ｂ：フレキシブル・ジョイント
４　：　水
４ａ：　基準時刻における水面
４ａ’：沈下測定時刻における水面
５　：　演算装置
６　：　波動制振ブロック
６ａ：　透孔
６ｂ：　中空部
６１，６２，６３，６４：隔壁
【図１】
2004108993.tif 000003
【図２】
2004108993.tif 000004
【図３】
2004108993.tif 000005
【図４】
2004108993.tif 000006
【図５】
2004108993.tif 000007